(57)【要約】      （修正有）【課題】持ち運びが簡単で、実用に十分な性能を持ったギターを提供する。【解決手段】ギターのネック部分をボディーから分離できる構造にし、ネック０４にブリッジ０６を取り付けることでネック単体で弦０７を張る。ボディーとネック０４の分離が容易となり、弦０７を外さずにボディーとネックの分割を簡単に行うことができる。【選択図】図１
2018132750.tif 000002
【特許請求の範囲】
【請求項１】
実施例１のギターネックであって、ネック本体にブリッジがあり、終端には弦を止める穴があることで、ネック単体でヘッドからブリッジ、テールピースへと弦を張ることのできるギターネック。
【請求項２】
請求項１のギターネックを用いて実施例２のごとくアコースティックボディーに当該ネックを取りけることによりネックの弦の振動を共振させて音を増幅するアコースティックギターにおいて、本発明のように当該ネックをねじ止めなどの方法で連結することでギターを構築できることを特徴とするアコースティックギター装置。
【請求項３】
請求項１を利用するエレクトリックギターにおいて、実施例３のようにエレクトリックギターボディーに従来のように埋め込まず、ボディーから浮かせるようにピックアップを設置してネックを取り付けるスペースを確保し、当該ネックを簡単に着脱して構築できるエレクトリックギター装置。
【請求項４】
当該ネックを取り付ける際にネック取り付け溝を利用して裏側に取り付け金具を設け、取り付けねじ一本でギターを取り付けることができる方法及び、その取り付け金具にはねじ引っ掛け穴を設けることで、取り付けのガイドと補強を行うことができるネックの取り付け方法。
【請求項５】
本発明のエレクトリックギターのアース接続方法において、弦を通すアース板を設けてすべての弦をアース板に導通させたうえで、ボディーにはアース用電極を用いてネックを取り付けた際にアース板と当該アース電極が接触する構造とすることで、容易アース回路を構築することのできる方法。または、この方法を勘合式のコネクターで実現する方法
【発明の詳細な説明】
【技術分野】
【０００１】  本発明は、ボディーとネックを簡単に取り外すことのできるギターに関するものである。
【背景技術】
【０００２】  ギターのサイズは通常決まっており、専用ケースに入れて持ち運ぶが、その大きさから持ち運びに不便で、旅行や出張などなどで持ち運んで練習したい時など持って行けずに断念することが多い。これはギターの構造がネックとブリッジの部分が分かれており、弦を外さなければ分解することができないという構造的な要因がある。【０００３】ギターのサイズは標準的に決まっていて普通の場合の演奏はそのサイズで最大のパフォーマンスが得られるが、練習やレクレーションなどの性能を重視しない演奏用であればサイズを小さくしてフレット間隔を短くしても使用に耐えうるものである。【０００４】一般的にギターはネック部分とブリッジの部分が一体ではないので、弦を外すことなくギターを分解することができない。【０００５】ギターを小さくして持ち運びを容易にするためにはギター全体を小さくして分解しない構造にする方法が最も容易であるが、フレット間隔が狭くなり、高フレット側では弾きにくくあまり実用的ではない。他の方法としてギターの弦を付けたままブリッジとナットを取り外せるようにしてコンパクトにするものもあるが、この場合は構造が複雑で組み立てが面倒である。
【先行技術文献】
【特許文献】
【０００６】
【特許文献１】なし
【非特許文献】
【０００７】
【非特許文献１】なし
【発明の概要】
【発明が解決しようとする課題】
【０００８】  解決しようとする問題点は、持ち運びが簡単で、実用に十分な性能を持ったギターを提供することである。
【課題を解決するための手段】
【０００９】  本発明は、ギターのネック部分をボディーを分離できる構造にした。それはネックにブリッジを取り付けることでネック単体で弦を張ることができる。この構造ならばボディーとネックの分離が容易となり、弦を外さずにボディーとネックの分割を簡単に行うことができるようになる。アコースティックギターの場合は共鳴箱となるボディーに当該ネックをネジ止めして取り付けることで容易に構築できる。エレキギターの場合は、ピックアップをボディーの弦の下に埋め込まず、ボディーの外に出しボディーの表面に浮かせる構造としてネックを取り付ける際にピックアップとボディーの間に滑り込ませるような構造とすることで、ネックとボディーを容易に分離できるようにした。ネックをボディーを容易に分離することができれば、ネック単体の長さが最大となり、持ち運びに容易なギターを作ることが可能となる。
【発明の効果】
【００１０】ネック構造部分にブリッジを取り付けることで、弦はネックを取り外す時に弦は張ったまま分解することができる。これを基本構造とすることで、ネックとボディーの分離が容易となり、持ち運びのために分割して、弾くときに組み立てることを簡単に行うことができる。さらに、ネックとボディーの取り付けをねじ止めなどによって簡単に取り付ける構造として、ボディーの種類を様々な種類を用意することでいろんなタイプのギターを構築できる。アコースティックタイプ、エレキギタータイプなど任意にできるのでボディーを変えることでアコースティックギター、エレキギター、シンセサイザーギターに取り換えることができるという利点も出てくる。
【図面の簡単な説明】
【００１１】
【図１】図１はネック分離ギターネックの実施方法を示した説明図である。（実施例１）
【図２】図２はギターのアコースティックギターボディーの実施方法を示した説明図である。（実施例２）
【図３】図３はギターのエレクトリックギターボディーの実施方法を示した説明図である。（実施例３）
【発明を実施するための形態】
【００１２】本発明を実施する方法としては、従来のギターの構成と変わることなく、基本的にはネック、ヘッド、ペグ、ブリッジ、フレット、ナット、弦などによって構成されており、部品の取り付け方などは従来の技術を用いて行う。実施例１ではネック部分にて構成されるギターの基本構造を説明し、実施例２以降にてボディーとの接続方法を示す。構成としてネックにブリッジが取り付いているので従来のギターのようにネックとブリッジが異なる部品としての継ぎ目がなく、音の損失が少なくいい音が出る効果もある。
【実施例１】
【００１３】  図１は、本発明装置の１実施例でありネックの部分のみを構成している。市販されているフェンダー社のネックなどを用いたり、ネック０４を製作するなどして、ナット０３から４０ｃｍ〜４５ｃｍの距離にブリッジ０６を配置してその距離に合わせて、１２平均律の間隔でフレット０５を配置する。中古のネックを使用する場合は、フレット一度取り外し再度ナット０３とブリッジ０６の距離に合わせてフレットを配置する。弦はネックの終端に弦を通す弦穴０８，０９を設け、終端側面の弦穴（入口）０９から表面の弦穴（出口）０８へ向けて斜めに開けて通す方法を描いている。これは他の方法としてテールピースを設けてもよいし、裏面から表面に垂直に開けてもよい。斜めの方がボディーに取り付ける際に障害になり難いのでこの方法としている。その際に、すべての弦に接触するアース板１０を設ける。金属板に穴をあけて弦を通して弦の終端を接触させる方法をとしている。そのほかに方法として、ブリッジ０６部分を金属にすれば、ブリッジ０６をアース板１０の代わりに用いることも可能である。また、ブリッジが金属でない場合は、弦に接触する金属板を弦の隙間に入れることで弦と接触することができる。この実施例１の構造ですでにギターの弦を鳴らす基本構造ができており、微弱な音であればこのままでも練習を行うことができる。このネック構造に弦の振動による音を増幅する部分を取り付けることで楽器として成立させることができる。【００１４】このネック部分にてギターの基本的な構造を構築しているがこの部分には、電気回路は含まれていない、強いて言えば、ノイズ対策の面で弦を電気回路のアースに接続するためのアース板１０を取り付ける部分のみである。アース板１０は、ボディーと連結してエレキギターとして使用する際に、ボディー側の電気回路のアース線に接続して回路を構成する。その接続方法はネック装着時に必然的に接触する金属板やコネクターを用いて接続する方法を用いる。または別にコネクターや端子を用いて接続してもよい。【００１５】弦を張りチューニングするためのペグ０２は従来技術のもを使用している。これはネック０３の先端になるヘッド０１に穴をあけてペグ０２を取り付ける方法を用いている。そのほかの方法として全長を小さくするためにはネックの付け根に小型のペグを取り付けて行う方法もあるので、従来の部品を用いることでそれも容易に実現が可能である。【００１６】ナット０３とブリッジの間隔としては４０〜４５ｃｍ程度の距離であれば、従来の標準的ギターのネックを使用することができ、フレット間隔が狭くはなるものの高フレット域まで実用上において差支えのないサイズとして使用できるのでそのサイズとしている。エレキベースなどの長いネックを用いれば、通常のギターで使用されている６０ｃｍクラスのナットブリッジ間距離に近くなり、通常のギターと同様の感覚で弾くことができる。【００１８】この実施例１によりギターの弦部分の構造がすべてできがるので、チューニングをそのままの状態で、ボディーを選んで装着することができる。ボディーのタイプによりエレキギター、アコースティックギター、シンセサイザーギターなどの選択が自由になり、簡単にいろんなギターへ変更する���とができる。ボディーの形状によっては多数のネックを同時に装着することも可能になる。そのほかにも机、椅子などに、装着するアダプターを設けて家具にネックを取り付けて弾くこともできる。
【実施例２】
【００１９】図２は図１のネック部分をアコースティックギターのボディー２１に連結する方法を示した。ボディーにはネック取り付け溝２２があり、従来のギターのようにボルトで裏側から固定するのが最もオーソドックスな方法である。本発明ではエレキギターの例のように、取り付け金具を用いて裏側でボディ裏面を挟むような構造にすることで裏から止めるボルトの数を減らすことができる。それは、ネック０４をアコースティックボディー２１に連結させるときに、エレクトリックギターボディー３１と同じように取り付け金具１１、３８をボディーの裏に引っ掛け取り付け金具に空いた穴が、引っ掛け用ねじ３７に引っかかりガイドとなる。その後ネック固定ねじ３９でボディーとネックを連結固定する。その際にネック取り付け溝２２、３３とボディーの隙間を極力少なくすることで一本の固定ねじ３９での固定も可能になる。これはエレクトリックギターボディーでの説明となったがアコースティックギターでも同様である。このような簡易な方法を用いるか、従来のアコースティックのボルトオンギターネックと同じ方法でネックを固定することで音の増幅が可能であり、演奏することができる。生の音で演奏するに足りる十分な音量を得ることができる。
【実施例３】
【００２０】  図３の実施例は、当該ネック０４をエレクトリックギターボディー３１に固定することでエレクトリックギターを構成するものである。図のようにネックをボディーのネック取り付け溝に滑り込ませるように取り付けるが、ブリッジ付近はピックアップ３４の下を潜ってネックに取り付け金具３９が当たるまで差し込まれる。この位置ではピックアップの下に弦が位置するようになる。この位置に合わせた後、ネック固定ねじ３９を絞めてネックを固定する。従来の方法のように４本のビスでネックを固定する方法としてもよい。本発明の大きな特徴の一つはピックアップが従来のエレキギターのようにボディーの中に組み込まれるのではなく、ボディーの反対側に取り付けられていることである。この構成にすることで当該ネックを取り付けるだけでエレキギターを構成することができる。また、回路構成において弦はアースに接続した方が弦のノイズを除去することができるので、ネックを取り付けたときにネックのアース板とボディーのアース電極が接触して弦をアースに接続して、ノイズ除去効果を成立させることができる。本発明ではアース板とアース電極としているが、コネクターとしても同様に自動的に接触する機能を持たせることが可能であり、本発明の実施例として展開できる。本実施例は、ピックアップ３４にシングルコイルピックアップを用いた実施例を示している。ピックアップはピックアップ調整回路３２に接続ざれているが、この回路構成は既存の技術と何ら変わりがないので、省略する。シングルピックアップの他に、ハムバッキングピックアップでも構成可能である。また、本発明の実施例ではピックアップ１個の実施例を示しているが、２個、３個という従来の技術にあるピックアップ構成でも実現は可能である。しかしその分弦を弾く範囲が狭くなるので、ピックアップの配置を弾きやすいように配置する。また、ピックアップの外側を角が丸くなったカバーで保護するようにして手をケガしないようにすることも弾きやすさに有効である。
【産業上の利用可能性】
【００２１】本発明は、ギターの新しい構成を提案し、弦を分解せずにギターを分割することができ、容易に分解できるギター、持ち運びしやすいいギターとして有用である。また、ボディーの種類を簡単に交換することができるので、志向に合わせてエレキギター、アコースティックギターに変更できる。ライブ演奏時にも瞬時にギターのタイプを変えることができる。通常のサイズのギターも構成することできるのでギターの新しい組み合わせとして幅広い利用が期待できる。
【符号の説明】
【００２２】０１．ヘッド０２．ペグ０３．ナット０４．ネック０５．フレット０６．ブリッジ０７．弦０８．弦穴（出口）０９．弦穴（入口）１０．アース板１１．取り付け金具２１．アコースティックボディー２２．ネック取り付け溝３１．エレクトリックギターボディー３２．ピックアップ調整回路３３．ネック取り付け溝３４．ピックアップ３５．ピックアップ座３６．アース電極３７．引っ掛け用ねじ３８．取り付け金具３９．ネック固定ねじ３１０．出力ジャック
【図１】
2018132750.tif 000003
【図２】
2018132750.tif 000004
【図３−１】
2018132750.tif 000005
【図３−２】
2018132750.tif 000006